(57)【要約】【課題】デジタル表示の中に機械駆動的な表示を盛り込むことで、比較的低コストに旧来の表示方法を実現可能な車両用表示装置を提供する。【解決手段】各表示桁が所定数の表示セグメントで数字表示可能に構成された表示手段１，３と、  表示する表示数字値を順序どおりに更新し、表示手段１，３の表示セグメントを駆動して、その更新した表示数字値を各表示桁に表示させる制御手段１００とを備え、  制御手段１００は、表示手段１，３で表示する表示数字値の更新時に、更新前の表示数字値と更新後の表示数字値を構成する表示セグメントの一部を用いて表示数字値の更新経過を表示させることを特徴とする。【選択図】      図１
2005188984.tif 000002
【特許請求の範囲】
【請求項１】
各表示桁が所定数の表示セグメントで数字表示可能に構成された表示手段と、
表示する表示数字値を順序どおりに更新し、前記表示手段の前記表示セグメントを駆動して、その更新した表示数字値を各表示桁に表示させる制御手段とを備え、
前記制御手段は、前記表示手段で表示する表示数字値の更新時に、更新前の表示数字値と更新後の表示数字値を構成する前記表示セグメントの一部を用いて表示数字値の更新経過を表示させることを特徴とする車両用表示装置。
【請求項２】
前記制御手段は、更新前の表示数字値と更新後の表示数字値を構成する前記表示セグメントを上下方向に分割した分割数字パターンを順番に表示させることを特徴とする請求項１記載の車両用表示装置。
【請求項３】
前記表示手段は、各表示桁が７表示セグメントで構成されと共に、表示セグメント４個を略口状に配置したブロック２個の組み合わせで構成されており、
前記制御手段は、更新前の表示数字値と更新後の表示数字値を構成する前記表示セグメントを、上下方向に沿って１ブロック毎に順番に表示させることを特徴とする請求項１記載の車両用表示装置。
【請求項４】
車両の走行速度を検出する車速センサを備え、
前記制御手段は、前記車速センサからの検出信号に基いて前記車両の走行距離を計測し、この計測した走行距離値を表示数字値に変えて前記表示手段に表示させることを特徴とする請求項１記載の車両用表示装置。
【請求項５】
前記制御手段は、時分情報を形成する計時手段を有し、前記計時情報を表示数字値に変えて前記表示手段に表示させることを特徴とする請求項１記載の車両用表示装置。
【請求項６】
各表示桁が所定数の表示セグメントで数字表示可能に構成された表示手段と、
表示する表示数字値を順序どおりに更新し、前記表示手段の前記表示セグメントを駆動して、その更新した表示数字値を各表示桁に表示させる制御手段と、
少なくとも各表示桁と各表示数字値に対応させて、更新前の表示数字値と更新後の表示数字値を構成する前記表示セグメントを分割した複数の分割数字パターンを記憶する記憶手段とを備え、
前記制御手段は、前記表示手段で表示する表示数字値の更新時に、更新する表示数字値に対応する前記分割数字パターンを前記記憶手段より読み出し、この分割数字パターンに基いて前記表示セグメントの一部を用いて表示数字値の更新経過を表示させることを特徴とする車両用表示装置。
【請求項７】
前記表示手段は、各表示桁が７表示セグメントで構成されると共に、表示セグメント４個を略口状に配置したブロック２個の組み合わせで構成されており、
前記制御手段は、更新する表示桁と表示数字値に対応させて、前記分割数字パターンを前記記憶手段より読み出し、更新前の表示数字値と更新後の表示数字値を構成する前記表示セグメントを、上下方向に沿って１ブロック毎に順番に表示させることを特徴とする請求項４記載の車両用表示装置。
【請求項８】
車両の走行速度を検出する車速センサと、
各表示桁が所定数の表示セグメントで数字表示可能に構成された表示手段と、
書換え可能な不揮発性記憶手段と、
表示する表示数字値を順序どおりに更新し、前記表示手段の前記表示セグメントを駆動して、その更新した表示数字値を各表示桁に表示させる制御手段とを備え、
前記制御手段は、前記車速センサからの検出信号に基いて前記車両の走行距離を計測し、この計測した走行距離値を前記不揮発性記憶手段に更新記憶すると共に、前記走行距離値を表示数字値に変えて前記表示手段に表示させる構成であり、かつ前記表示手段で表示する表示数字値の更新時に、更新前の表示数字値と更新後の表示数字値を構成する前記表示セグメントの一部を用いて表示数字値の更新経過を表示させることを特徴とする車両用表示装置。
【請求項９】
乗員が操作可能なリセットスイッチを備え、
前記制御手段は、前記リセットスイッチからリセット信号を受けると、前記不揮発性記憶手段に記憶された前記走行距離値を初期値にリセットすると共に、更新前の前記走行距離値から前記初期値まで、所定の順序で表示数字値を更新してこの表示数字値の更新経過を表示させることを特徴とする請求項８記載の車両用表示装置。
【発明の詳細な説明】
【技術分野】
【０００１】
本発明は、例えば車両用計器のデジタル表示を、機械的計器のような感覚で表示可能にする車両用表示装置に関する。
【０００２】
従来、車両用計器としてオドメータ（走行距離計）やトリップメータ等の表示装置は、各表示桁の目盛体が回転する機械式ロール等の機械駆動方式が主流であったが、最近は要求される表示の多機能化と電子部品のコスト低下により、機械駆動方式から、マイクロコンピュータを用いた電子制御方式に変わりつつある。他方で、利用者からは旧来の表示方法を用いた表示装置を要望する声があり、車両速度計やエンジン回転計、各種計器類ではアナログ表示方式を採用することが多い。その中で、オドメータやトリップメータ、時計では、アナログ表示とすると構造上コスト高となるため、デジタル表示を採用している（特許文献１参照）。
【特許文献１】特開平９−３２５０４６号公報
【発明の開示】
【発明が解決しようとする課題】
【０００３】
しかしながら、利用者からは、オドメータやトリップメータ、時計等の表示装置についても、旧来の表示方法に類似する表示装置が要望されている。
【０００４】
本発明は、上記点に鑑みてなされたものであり、デジタル表示の中に機械駆動的な表示を盛り込むことで、比較的低コストに旧来の表示方法を実現可能な車両用表示装置を提供することを目的とする。
【課題を解決するための手段】
【０００５】
上記目的を達成するため、請求項１ないし請求項９に記載の技術的手段を採用する。
【０００６】
請求項１記載の発明によれば、各表示桁が所定数の表示セグメントで数字表示可能に構成された表示手段と、表示する表示数字値を順序どおりに更新し、表示手段の表示セグメントを駆動して、その更新した表示数字値を各表示桁に表示させる制御手段とを備え、
制御手段は、表示手段で表示する表示数字値の更新時に、更新前の表示数字値と更新後の表示数字値を構成する表示セグメントの一部を用いて表示数字値の更新経過を表示させることを特徴とする。
【０００７】
それにより、各表示桁の表示数字値の更新毎に、単に更新後の表示数字値に切り替えることをせず、既存の表示セグメントを用いて表示数字値の更新経過を表示させることが可能となる。
【０００８】
請求項２記載の発明によれば、制御手段は、更新前の表示数字値と更新後の表示数字値を構成する表示セグメントを上下方向に分割した分割数字パターンを順番に表示させることで、あたかも機械式ロール等のごとく各表示桁が上下方向に回転移動する機械駆動表示のように、表示数字値の更新経過を表示させることが可能となる。
【０００９】
請求項３記載の発明によれば、表示手段は、各表示桁が７表示セグメントで構成されと共に、表示セグメント４個を略口状に配置したブロック２個の組み合わせで構成されており、制御手段は、更新前の表示数字値と更新後の表示数字値を構成する表示セグメントを、上下方向に沿って１ブロック毎に順番に表示させるようにしている。それにより、あたかも機械式ロール等のごとく各表示桁が上下方向に回転移動する機械駆動表示のように、７表示セグメントの表示数字値が１ブロックずつ上下方向に移動するように表示させることが可能になる。
【００１０】
請求項４記載の発明によれば、車両の走行速度を検出する車速センサを備え、
制御手段は、車速センサからの検出信号に基いて車両の走行距離を計測し、この計測した走行距離値を表示数字値に変えて表示手段に表示させることで、車載オドメータに対してデジタル表示にも係わらず、回転移動する機械駆動のような更新表示が可能となる。
【００１１】
請求項５記載の発明によれば、制御手段は、時分情報を形成する計時手段を有し、計時情報を表示数字値に変えて表示手段に表示させることで、車載電子時計に対してデジタル表示にも係わらず、回転移動する機械駆動のような更新表示が可能となる。
【００１２】
請求項６記載の発明によれば、各表示桁が所定数の表示セグメントで数字表示可能に構成された表示手段と、表示する表示数字値を順序どおりに更新し、表示手段の表示セグメントを駆動して、その更新した表示数字値を各表示桁に表示させる制御手段と、少なくとも各表示桁と各表示数字値に対応させて、更新前の表示数字値と更新後の表示数字値を構成する表示セグメントを分割した複数の分割数字パターンを記憶する記憶手段とを備え、
制御手段は、表示手段で表示する表示数字値の更新時に、更新する表示数字値に対応する分割数字パターンを記憶手段より読み出し、この分割数字パターンに基いて表示セグメントの一部を用いて表示数字値の更新経過を表示させることを特徴とする。
【００１３】
それにより、各表示桁の表示数字値の更新毎に、単に更新後の表示数字値に切り替えることをせず、記憶手段に予め記憶された分割数字パターンを任意に設定することで、更新前後の表示数字値を構成する表示セグメントの一部を比較的容易に選択することが可能となり、中間表示パターンを適宜設定して表示数字値の更新経過を表示させることが可能となる。
【００１４】
請求項７記載の発明によれば、表示手段は、各表示桁が７表示セグメントで構成されると共に、表示セグメント４個を略口状に配置したブロック２個の組み合わせで構成されており、制御手段は、更新する表示桁と表示数字値に対応させて、分割数字パターンを記憶手段より読み出し、更新前の表示数字値と更新後の表示数字値を構成する表示セグメントを、上下方向に沿って１ブロック毎に順番に表示させることで、中間表示パターンの選択が容易になり、比較的簡単な制御により表示数字値の更新経過を表示させることが可能となる。
【００１５】
請求項８記載の発明によれば、車両の走行速度を検出する車速センサと、各表示桁が所定数の表示セグメントで数字表示可能に構成された表示手段と、書換え可能な不揮発性記憶手段と、表示する表示数字値を順序どおりに更新し、表示手段の前記表示セグメントを駆動して、その更新した表示数字値を各表示桁に表示させる制御手段とを備え、
制御手段は、車速センサからの検出信号に基いて車両の走行距離を計測し、この計測した走行距離値を不揮発性記憶手段に更新記憶すると共に、走行距離値を表示数字値に変えて表示手段に表示させる構成であり、かつ表示手段で表示する表示数字値の更新時に、更新前の表示数字値と更新後の表示数字値を構成する表示セグメントの一部を用いて表示数字値の更新経過を表示させることを特徴とする。
【００１６】
それにより、車載オドメータまたはトリップメータに対して、デジタル表示にも係わらず、回転移動する機械駆動のような更新表示が可能となる。
【００１７】
請求項９記載の発明によれば、乗員が操作可能なリセットスイッチを備え、制御手段は、リセットスイッチからリセット信号を受けると、不揮発性記憶手段に記憶された走行距離値を初期値にリセットすると共に、更新前の走行距離値から初期値まで、所定の順序で表示数字値を更新してこの表示数字値の更新経過を表示させるようにしている。それにより、走行距離値を示す表示数字値の更新表示に加えて、不揮発性記憶手段に記憶された走行距離値のリセット時には、単純に初期値の表示数字値に切り替えることをせず、初期値になるまで順次表示数字値を更新表示し、あたかも機械式ロール等のごとき機械駆動によるリセット表示を具現可能になる。
【発明を実施するための最良の形態】
【００１８】
以下、本発明の実施形態について図を用いて説明する。
【００１９】
（第１実施形態）
図１は、車両用表示装置としてオドメータおよびトリップメータを示す全体構成図である。
【００２０】
制御回路１００は、ＲＯＭ等からなる第１記憶手段１００ａを含むマイクロコンピュータおよび入出力回路等から構成され、イグニッションスイッチ８を介して車載バッテリ９に接続されている。
【００２１】
第１表示器１は、車載オドメータ（走行距離計）を構成し、車両の走行距離を７個の表示セグメントによる数字表示により最大６桁にて表示するデジタル表示部１ａと、小数点表示部１ｂと、単位表示部１ｃとを備えている。この例では、小数点以上の５桁（１万ｋｍ単位）および小数点以下１桁（０．１ｋｍ単位）までをデジタル表示する。第１駆動回路２は、制御回路１００から計測した走行距離値を示す表示数字値を表示するための表示指令を受け、各表示桁における７個の表示セグメントを指定して表示駆動する駆動信号を、第１表示器１に出力する。
【００２２】
第２表示器３は、トリップメータを構成し、リセット操作後の車両の走行距離を７個の表示セグメントによる数字表示により最大４桁にて表示するデジタル表示部３ａと、小数点表示部３ｂと、単位表示部３ｃとを備えている。この例では、小数点以上の３桁（百ｋｍ単位）および小数点以下1桁（０．１ｋｍ単位）までをデジタル表示する。第１駆動回路４は、制御回路１００から計測した所定表示数字値を表示する表示指令を受け、各表示桁における７個の表示セグメントを指定して表示駆動する駆動信号を、第２表示器３に出力する。
【００２３】
第１、第２表示器１、３の各表示部１ａ〜１ｃ、３ａ〜３ｃは、発光ダイオード、ＥＬ、液晶、蛍光表示管のいずれかで構成されている。なお、本例では第１、第２駆動回路２、４を制御回路１００と分けて設ける構成としたが、これら第１、第２駆動回路２、４を制御回路１００内に設け、入出力回路の一部として構成してもよい。
【００２４】
車速センサ５は、車両の走行速度を検出しこれに比例する周波数にてパルス信号を発生する。第２記憶手段６は、ＥＥＰＲＯＭまたはフラッシュメモリ等の書換え可能な不揮発性メモリで構成され、制御回路１００が車速センサ５のパルス信号を用いて計測したオドメータおよびトリップメータの走行距離データ（走行距離値）を逐次更新記憶し、イグニッションスイッチ８のＯＦＦ後も両走行距離データを保存可能にしている。常開型リセットスイッチ７は、乗員の操作により一時的にＯＮされて、第２記憶手段６に記憶されているトリップメータ（表示器３）の走行距離データを初期値として零にリセットする。
【００２５】
次に、制御回路１００および第１、第２表示器１、３の作動を、図２〜６を用いて説明する。
【００２６】
図２は、オドメータとトリップメータにおける、走行距離計測処理および更新表示処理
のフローチャート、図３は、更新表示処理の詳細なフローチャートを示す。
【００２７】
まず、ステップ２０１〜２０４は、オドメータの走行距離計測処理を示す。車速センサ５のパルス信号、および第２記憶手段６に記憶された走行距離データを読み込む（ステップ２０１）。続いて、単位走行距離を示すこのパルス信号を計数し、計数結果を読み出した走行距離データに加算することで新たな走行距離データを求め（ステップ２０２）、第１走行距離更新値として第２記憶手段６に更新記憶する（ステップ２０３）。その際、６個の表示桁のうちでどの表示桁が更新されるのかが分かるように、表示数字値を更新する表示桁の情報を記憶させておく。
【００２８】
続いて、この更新した第１走行距離更新値を第１表示器１に表示するにあたり、表示数字値が更新される表示桁については、例えば機械式ロール等のごとく各表示桁が上下方向に回転移動する機械駆動表示のように、更新前の表示数字値と更新後の表示数字値をそれぞれ構成する表示セグメント中の一部の表示セグメントを用いて、表示数字値の更新経過を表示させる更新表示処理を行う（ステップ２０４）。
【００２９】
ここで、この更新表示処理の詳細を、図３を用いて説明する。まず、第２記憶手段６より、表示数字値を更新する表示桁Ｙと、この表示桁Ｙにおける更新後の表示数字値Ｘと、さらに今回は表示数字値を更新しない非更新表示桁Ｙおよびこの表示数字値Ｘと、を読み出す（ステップ３０１）。続いて、図４に示すような制御量設定マップを記憶した第１記憶手段１００ａより、更新後の表示数字値Ｘと更新表示桁Ｙに対応して、少なくとも１種類以上からなる中間表示駆動パターンＤｘｙを読み出す。例えば、表示数字値Ｘが「２」で、更新表示桁Ｙが小数点上１桁であれば、中間表示駆動パターンＤ２０を選択することになる（ステップ３０２）。
【００３０】
続いて、今回は更新しない非更新表示桁Yの表示数字値Ｘの表示駆動を行わせると共に、更新表示桁Ｙについては、選択された中間表示駆動パターンＤｘｙについて１パターン毎に順次設定時間（例えば、０．３〜１秒）の間ずつ中間表示駆動を行わせる（ステップ３０３、３０４）。
【００３１】
具体的には、図５に示すように、例えば小数点上１桁の表示桁Ｙを「１」から「２」に更新表示するときには、更新した表示数字値Ｘ＝２と、表示桁Ｙ＝「上１桁」とに対応して、３種類のパターンをもつ中間表示駆動パターンＤ２０を第１記憶手段１００ａより読み出す。そして１パターン毎に設定時間の間表示駆動させ、３種類のパターンの表示終了後に、更新後の表示数字値の表示駆動を行わせる。この中間表示を、各表示桁において表示数字値を更新する毎に行い、とりわけ小数点下１桁や上１桁では比較的高い頻度で中間表示を行うことになる。
【００３２】
本例では、図５に示すように、各表示桁は、７個の表示セグメントで構成されると共に、表示セグメント４個を略ロ状に配置したブロック２個の組み合わせで構成されており、表示数字値を表示面の上方向に対し１ブロックずつ移動させる形状の中間表示駆動パターンである。言い換えると、更新前の表示数字値と更新後の表示数字値を構成する表示セグメントを上下方向に沿って１ブロック毎に分割した分割数字パターンである。それにより、１パターン毎に更新前の表示数字値から更新後の表示数字値まで表示数字があたかも表示面を上方向に移動するように表示することが可能となる。
【００３３】
続いて、中間表示駆動が終了すると（ステップ３０４）、第１表示器１の全表示桁とも、更新後の表示数字値Ｘおよび非更新の表示数字値Ｘの表示駆動を行わせることになる（ステップ３０５）。
【００３４】
以上がオドメータの作動であり、各表示桁の表示数字値の更新毎に、単に更新後の表示数字値に切り替えることをせず、あたかも機械式ロール等のごとく各表示桁が上下方向に回転移動する機械駆動表示のように、更新前の表示数字値と更新後の表示数字値をそれぞれ構成する表示セグメントを上下方向に沿って分割表示することで、表示数字値の更新経過を表示させることが可能となる。特に、１ブロック毎に分割した分割数字パターンを用いることで、各表示桁がドット表示と違って少ない表示セグメントで構成された表示器１に対して、移動表示を比較的簡単な処理で効果的に実現できる。
【００３５】
次に、ステップ２０５〜２１３は、トリップメータの走行距離計測処理を示す。まず、乗員が燃料満タン補給時や現時点からの走行距離確認のためにリセットスイッチ７を操作することで発生するリセット信号を読み込む（ステップ２０５）。そこで、リセット信号が発生していないときにはステップ２０６からステップ２０７に進み、リセット時からの走行距離計測処理を継続する。
【００３６】
つまり、車速センサ５のパルス信号、および第２記憶手段６に記憶された走行距離データを読み込む（ステップ２０７）。続いて、単位走行距離を示すこのパルス信号を計数し、この計数結果を、第２記憶手段６より読み出した走行距離データに加算することで、新たな走行距離データを求め（ステップ２０８）、第２走行距離更新値として第２記憶手段６に更新記憶する（ステップ２０９）。その際、４個の表示桁のうちでどの表示桁が更新されるのかが分かるように、表示数字値を更新する表示桁の情報を記憶させておく。
【００３７】
続いて、この更新した第２走行距離更新値を第２表示器３に表示するにあたり、表示数字値が更新される表示桁については、例えば機械式ロール等のごとく各表示桁が上下方向に回転移動する機械駆動表示のように、更新前の表示数字値と更新後の表示数字値をそれぞれ構成する表示セグメント中の一部の表示セグメントを用いて、表示数字値の更新経過を表示させる更新表示処理を行う（ステップ２１０）。
【００３８】
他方、リセット信号が発生したときには、これまで計測して第２記憶手段６に記憶された走行距離データ（第２走行距離値）のリセット処理を行い（ステップ２１１）、リセット値を初期値として第２記憶手段６に記憶する（ステップ２１２）と共に、第２表示器３にリセット値（零値）を表示させる。その際、リセット時にも表示数字値が更新される表示桁については、上記ステップ２１０と同様にして表示数字値の更新経過を表示させる更新表示処理を行う（ステップ２１３）。
【００３９】
具体的には、図６（ａ）、（ｂ）、（ｃ）に示すような３種類の中間表示駆動モデルのいずれかを採用し、該当モデルの制御ロジックを第１記憶手段１００ａに記憶しておき、リセット直前の各表示桁の表示数字値より、所定の制御ロジックに従って中間表示を行わせることになる。
【００４０】
ここで、図６（ａ）に示す中間表示駆動モデル１は、全表示桁の中で表示数字値が小さい表示桁の数字値を順番に大きい値に更新し、複数の表示桁に同一の小さい数字値があれば同時に更新することで、最終的に全表示桁の表示数字値を「９９９９」とし、続いて零値にリセットするモデルである。また、図６（ｂ）に示す中間表示駆動モデル２は、各表示桁の表示数字値を並行して小さい値に順次更新し、全表示桁が零値「００００」に至るときリセットするモデルである。また、図６（ｃ）に示す中間表示駆動モデル３は、各表示桁の表示数字値のうち、「４」以下の表示数字値は小さい値に順次更新し、他方、「５」以上の表示数字値は大きい値に順次更新し、全表示桁が零値「００００」に至るときリセットするモデルである。いずれの場合にも、表示数字値の更新を設定時間（例えば０．２〜０．５秒）毎に行い、中間表示値が目視できるようにする。中間表示の所要時間は、３つのモデルの中でモデル１が最も長くなり、モデル３が最も短くなる。
【００４１】
以上がトリップメータの作動であり、オドメータと同様に、各表示桁の表示数字値の更新毎に、単に更新後の表示数字値に切り替えることをせず、あたかも機械式ロール等のごとく各表示桁が上下方向に回転移動する機械駆動表示のように、更新前の表示数字値と更新後の表示数字値をそれぞれ構成する表示セグメントを上下方向に沿って分割表示することで、表示数字値の更新経過を表示させることが可能となる。とりわけ、リセット操作時には、各表示桁における表示数字値を順次更新し、比較的時間をかけて零値にリセットするようにし、より一層機械駆動表示の感覚を視覚的に与えることが可能となる。
【００４２】
（第２実施形態）
図７は、車両用表示装置として車載電子時計を表示制御するための全体構成図である。
【００４３】
制御回路１５０は、ＲＯＭからなる第３記憶手段１５０ａとＲＡＭからなる第４記憶手段１５０ｂを含むマイクロコンピュータ、および入出力回路等から構成され、イグニッションスイッチ８を介さずに車載バッテリ９から直接給電されており、イグニッションスイッチ８のＯＦＦ後も制御回路１５０は計時処理を継続可能にしている。
【００４４】
第３表示器１１は、電子時計を構成し、時刻情報として時分を７個の表示セグメントによる数字表示により最大４桁にて表示するデジタル表示部１１ａと、時刻表示を時間表示と分表示とに区分すると共に、１秒毎に点滅もしくは点灯表示するコロン表示部１ｂとを備えている。駆動回路１２は、制御回路１５０から時分を示す表示数字値を表示する表示指令を受け、各表示桁における７個の表示セグメントを指定して表示駆動する駆動信号を、第３表示器１１に出力する。
【００４５】
制御回路１５０は、イグニッションスイッチ８のＯＦＦ時に減光表示または非表示となるように第３表示器１１を制御している。設定スイッチ１３は、乗員が時刻合わせするための調整用スイッチ、発振器１４はセラッミク振動子や水晶振動子等である。
【００４６】
次に、制御回路１５０および第３表示器１１の作動を、図８を用いて説明する。
【００４７】
図８は、制御回路１５０における計時処理のフローチャートを示す。発振器１４の発振
信号に基いて基準時間信号を形成し、その基準時間信号等を読み込む（ステップ４０１）。その基準時間信号に基いて時間、分、秒の計時処理を行い、それらの計時データを第４記憶手段１５０ｂに一時記憶する（ステップ４０２）。
【００４８】
続いて、求めた計時データに基いて第３表示器１１を表示駆動するにあたり、各表示桁における表示数字値を更新表示するときには、本発明の特徴である更新表示処理（ステップ４０３〜４０６）を行う。これは各表示桁の表示数字値の更新毎に、単に更新後の表示数字値に切り替えることをせず、あたかも各表示桁が上下方向に回転移動する機械駆動表示のように、更新前の表示数字値と更新後の表示数字値をそれぞれ構成する表示セグメントを上下方向に沿って分割表示することで、表示数字値の更新経過を表示させることを可能にしている。
【００４９】
そこで、ステップ４０３では、例えば図４と同様の制御量設定マップを設定記憶した第３記憶手段１５０ａより、更新後の表示数字値Ｐと、表示数字値Ｐを更新する時分桁ＨＭに対応して、少なくとも１種類以上の中間表示駆動パターンＤｐｈｍを読み出す。続いて、第３表示器１１に対して非更新時分桁の表示駆動を行わせると共に、更新時分桁ＨＭについて、中間表示駆動パターンＤｐｈｍの１パターン毎に、順次設定時間の間ずつ中間表示駆動を行わせる（ステップ４０４、４０５）。
【００５０】
続いて、中間表示駆動が終了すると、時分桁とも、更新後の表示数字値Ｐおよび非更新の表示数字値Ｐの表示駆動を行わせる。
【００５１】
以上が電子時計の作動であり、オドメータと同様に、電子時計においても機械駆動表示の感覚を視覚的に与えることが可能となる。
【００５２】
なお、上記実施形態では、書換え可能な不揮発性メモリである第２記憶手段６を制御回路１００の外部に設けたが、制御回路１００内に設け、マイクロコンピュータと共に共通基板に集積回路化するようにしてもよい。また、第２記憶手段６は、ＥＥＰＲＯＭ等の不揮発性メモリに代えて、イグニッションスイッチ８を介さずに車載バッテリ９から直接給電されるバックアップＲＡＭとしてもよい。
【００５３】
また、上記実施形態では、第１、第２表示器１、３の表示数字値の更新時に、中間表示駆動パターンを表示面の上方向に移動させるように表示していたが、表示面の下方向に移動させるように表示してもよい。また、中間表示駆動パターンについて１パターン毎に、順次設定時間の間ずつ表示駆動していたが、選択された中間表示駆動パターン全体の表示駆動時間を予め定めた設定時間とし、選択された中間表示駆動パターン内に表示パターン数に応じて１パターン当たりの表示駆動時間を可変させてもよい。
【００５４】
また、上記実施形態では、中間表示駆動パターンは１ブロック毎に分割した分割数字パターンを用いているが、表示セグメントを利用して中間表示する構成であれば、この分割数字パターンに限らず、他のパターンでもよい。
【図面の簡単な説明】
【００５５】
【図１】本発明の第１実施形態であるオドメータ、トリップメータを示す全体構成図である。
【図２】オドメータとトリップメータにおける、走行距離計測処理および更新表示処理を示すフローチャートである。
【図３】更新表示処理の詳細を示すフローチャートである。
【図４】更新後の表示数字値Ｘと更新表示桁Ｙに対応して、中間表示駆動パターンＤｘｙを設定記憶する制御量設定マップを示す説明図である。
【図５】中間表示駆動パターンＤｘｙが、表示数字値Ｘを上方向に対し１ブロックずつ移動させる形状の３種類のパターンをもつことを示すための説明図である。
【図６】（ａ）、（ｂ）、（ｃ）は、それぞれトリップメータのリセット時に表示数字値が更新される際の中間表示駆動モデルを示す説明図である。
【図７】本発明の第２実施形態である車載時計を示す全体構成図である。
【図８】電子時計における、計時処理および更新表示処理を示すフローチャートである。
【符号の説明】
【００５６】
１  第１表示器（表示手段）
３  第２表示器（表示手段）
５  車速センサ
６  第２記憶手段（不揮発性記憶手段）
７  リセットスイッチ
１１  第３表示器（表示手段）
１３  設定スイッチ
１００、１５０  制御手段
１００ａ  第１記憶手段
１５０ａ  第３記憶手段
【図１】
2005188984.tif 000003
【図２】
2005188984.tif 000004
【図３】
2005188984.tif 000005
【図４】
2005188984.tif 000006
【図５】
2005188984.tif 000007
【図６】
2005188984.tif 000008
【図７】
2005188984.tif 000009
【図８】
2005188984.tif 000010